(57)【要約】      （修正有）【課題】自動開閉可能な折りたたみ式スーツケースを提供する。【解決手段】ベース部１と、引き手組２と、折りたたみ式ケース体とを含む。引き手組２の一端がベース部１の側面に枢接し、ケース体がベース部１と引き手組２に接続していて、かつ、ベース部１にプッシャー装置４を内設し、プッシャー装置４によって、ベース部１に枢接した引き手組２を押し込み、引き手組２がベース部１を引き離す方向に枢転し、プッシャー装置４の押し込み力量によって、自動に枢転して起立状態に固定し、引き手組２がベース部１に近づける方向に枢転すると、プッシャー装置４の押し込み力量によって、自動に枢転し横たわって、固定される。【選択図】図８
0003222219.tif 000002
【実用新案登録請求の範囲】
【請求項１】
ベース部と、引き手組と、折りたたみ式ケース体とを含む、
前記引き手組に固定バーを有し、前記固定バーの一端を前記ベース部の側面に枢接し、前記固定バーの末端部に第１押し当て面が形成していて、前記固定バーが前記ベース部付近の表面に第２押し当て面を形成し、前記ケース体が前記ベース部に接続し、ケース体の一側が前記固定バーに接続し、
前記ベース部にプッシャー装置を内設され、前記プッシャー装置は、弾性具と、表面に平面状を形成するプッシャーとを有し、前記プッシャーが前記引き手組の前記固定バーの枢接場所の下方側に位置し、前記弾性具がプッシャーと、前記ベース部との間に位置していて、前記プッシャーを押し込んで前記固定バーに押し当て、
前記ケース体を前記ベース部に折り畳むとき、前記ケース体が前記固定バーを連動して、前記ベース部に近寄せるように枢転し、前記プッシャーの押し込み力量によって、前記固定バーの前記第２押し当て面に押し当て、前記固定バーが自動に枢転して固定を形成し、前記ケース体を前記ベース部上に開けかれたとき、前記ケース体が前記固定バーを連動して、前記ベース部を引き離す方向に枢転し、前記プッシャーの押し込み力量によって、前記固定バーの前記第１押し当て面に押し当て、前記固定バーが自動に枢転し、固定を形成することを特徴とする、自動開閉可能な折りたたみ式スーツケース。
【請求項２】
前記ベース部の一側の表面に収容溝を凹設し、前記ベース部の表面にて、前記収容溝の両側に枢接部を設け、前記枢接部に枢軸を設けることによって、前記引き手組の前記固定バーを前記枢軸に枢接し、前記プッシャー装置の弾性具と、前記プッシャーが前記ベース部の前記収容溝に収容することを特徴とする、請求項１記載の自動開閉可能な折りたたみ式スーツケース。
【請求項３】
前記ベース部にて、収容溝両側の側壁にガイド溝を設け、前記プッシャー装置の前記プッシャーが平面状表面の押し当て部を有し、前記押し当て部の両側にガイドブロックを設け、前記ガイドブロックを前記ベース部のガイド溝に内設することを特徴とする、請求項２記載の自動開閉可能な折りたたみ式スーツケース。
【請求項４】
前記ケース体が前記ベース部を有し、前記ベース部を前記ベース部の表面に接続し、前記ベース部の一側に背部を形成し、前記背部が上向きに折りたたみ部を延在され、前記折りたたみ部にラグを設け、前記背部が前記引き手組の前記固定バーに接続し、前記引き手組が前記固定バーに伸長ロッドを内設し、前記伸長ロッドが前記固定バーに沿って伸長と閉合することができ、前記伸長ロッドにフックを嵌着し、前記フックを前記ラグに掛けることを特徴とする、請求項１記載の自動開閉可能な折りたたみ式スーツケース。
【請求項５】
前記フックに嵌め継ぎ部を有し、前記嵌め継ぎ部の側面に屈折状のフック部を有し、前記嵌め継ぎ部に固定穴を設けていて、前記嵌め継ぎ部を伸長ロッドの外側に嵌着し、前記伸長ロッドの側面に弾性に引き込むことのできる固定柱を設け、前記固定柱を前記固定穴に内設することを特徴とする、請求項４記載の自動開閉可能な折りたたみ式スーツケース。
【請求項６】
前記引き手組の前記固定バーは、前記第１押し当て面と、前記第２押し当て面との間に円弧状のガイド面を設けられていることを特徴とする、請求項１記載の自動開閉可能な折りたたみ式スーツケース。
【考案の詳細な説明】
【技術分野】
【０００１】
本考案は自動開閉可能な折りたたみ式スーツケースに関し、特にスーツケースの引き手組がケース体を連動して、開くか折りたたんで固定し、利用者の使用及び収納に便利を提供できる折りたたみ式スーツケースに関する。
【背景技術】
【０００２】
長時間旅行に備えて多い分量の荷物を携帯するときに、スーツケースを用いて収納する。しかし、スーツケースは使用していないときに、場所を取られてしまうことから、業者らは折りたたみ式のスーツケースが開発されている。
【考案の概要】
【考案が解決しようとする課題】
【０００３】
現在の折りたたみ式スーツケースを使用する際に残念ながら、次の欠点を有する。
【０００４】
一、    スーツケースを折りたたんだ後には、あらたにロープまたはベルトで縛って固定して置かなければ、移動するときに開けてしまう恐れがあり、利用者の使用に不便感を与えている。
【０００５】
二、    スーツケースを開いたときに、安定に固定する機能を持たないことから、スーツケースの内部に補強材などを取り付けて支えて置かなければならず、同じく使用に不便を与える。
【課題を解決するための手段】
【０００６】
本考案の主な目的は、ベース部に取り付けられた押し当て装置を利用し、ベース部に枢接する引き手組を押し込み、引き手組がベース部を引き離す方向に枢転するとき、プッシャー装置の押し込み力量によって、自動に枢転して起立状態に固定し、他の固定手段による固定または補強の必要はなく、ベース部と引き手組との間に接続したケース体を自動に開いて固定または折りたたんで閉合して固定することができ、利用者の使用に便利を提供できる。
【０００７】
前述目的を達成するため、本案の自動開閉可能な折りたたみ式スーツケースは、ベース部と、引き手組と、折りたたみ式ケース体とを含まれている。引き手組に固定バーを有し、固定バーの一端をベース部の側面に枢接し、固定バーの末端部に第１押し当て面を形成していて、固定バーがベース部付近の表面に第２押し当て面を形成し、ケース体がベース部に接続しており、かつ、ケース体の一側が固定バーに接続している。さらに、ベース部にプッシャー装置を内設され、プッシャー装置は弾性具と、表面が平面状を形成するプッシャーとを有し、プッシャーが引き手組の固定バーとの枢接場所の下方側に位置し、弾性具がプッシャーと、ベース部との間に位置していて、プッシャーを押し込んで固定バーに押し当てる。ケース体をベース部に折りたたむと、ケース体が固定バーを連動して、ベース部に近づけるように枢転して、プッシャーの押し込み力量によって、固定バーの第２押し当て面に押し当てられ、固定バーが自動に枢転して、固定を形成する。一方、ケース体がベース部にて開いたとき、ケース体が固定バーを連動して、ベース部を引き離す方向に枢転し、プッシャーの押し込み力量によって、固定バーの第１押し当て面に押し当てられ、固定バーが自動に枢転して、固定を形成する。
【図面の簡単な説明】
【０００８】
【図１】本考案を展開したときの立体外観図である。
【図２】本考案を展開したときの局所断面である。
【図３】本考案の図２Ａの局所拡大図である。
【図４】本考案のベース部と引き手組の局所断面である。
【図５】本考案のベース部と引き手組の立体分解図である。
【図６】本考案のフックとラグとを分離した局所外観図である。
【図７】本考案のケース体を折りたたんだ態様図である。
【図８】本考案のプッシャー装置と第１押し当て面と固定を形成する態様図である。
【図９】本考案の引き手組枢転するときの態様図である。
【図１０】本考案のプッシャー装置と第２押し当て面と固定を形成する態様図である。
【図１１】本考案を折りたたんだ状態の側面図である。
【考案を実施するための形態】
【実施例】
【０００９】
図１ないし図５と、図８を参照する。図からはっきり分かるように、本考案がベース部１と、引き手組２と、ケース体３と、プッシャー装置４とを含む。
【００１０】
そのうち、ベース部１一側の表面に収容溝１１を設けられ、ベース部１は収容溝１１両側の側壁にガイド溝１１１を設け、ベース部１の表面は、収容溝１１の両側に枢接部１２を設けていて、枢接部１２に枢軸１３を設け、かつ、ベース部１の下方がローラー１４と接続している。
【００１１】
引き手組２は、固定バー２１と、固定バー２１内部にて順をおって貫いて設ける伸長ロッド２２と、ハンドルロッド２４とを有し、伸長ロッド２２と、ハンドルロッド２４が固定バー２１に沿って伸長と閉合することができる。伸長ロッド２２にフック２３を嵌着し、フック２３に嵌め継ぎ部２３１を有し、嵌め継ぎ部２３１の側面に屈折してフック部２３２を形成し、嵌め継ぎ部２３１に固定穴２３３を設けることによって、嵌め継ぎ部２３１を伸長ロッド２２の外側に嵌着され、伸長ロッド２２の側面に弾性に引き込むことのできる固定柱２２１を設け、固定柱２２１が固定穴２３３に内設している。さらに、固定バー２１の一端がベース部１側面の枢軸１３に枢接し、固定バー２１の末端部に第１押し当て面２１１を形成し、固定バー２１がベース部１付近の表面に第２押し当て面２１２を形成し、固定バー２１が第１押し当て面２１１と、第２押し当て面２１２との間に円弧状のガイド面２１３を設ける。
【００１２】
ケース体３にベース部３１を有し、ベース部３１の一側に背部３２を形成、背部３２が上向きに折りたたみ部３３を延在し、折りたたみ部３３にラグ３４を設ける。背部３２と、折りたたみ部３３の裾部に側壁部３５を延在し、ベース部３１と、背部３２を引き離すもう一つの側面には前蓋部３６をさらに延在しており、前蓋部３６と、側壁部３５との間にファスナー３７を設けられている。さらに、前述ベース部３１がベース部１の表面に接続し、背部３２が引き手組２の固定バー２１に接続している。
【００１３】
プッシャー装置４に弾性具４１と、プッシャー４２とを有し、弾性具４１と、プッシャー４２がベース部１の収容溝１１の内部に位置し、プッシャー４２は平面状表面の押し当て部４２１を有し、押し当て部４２１の両側にガイドブロック４２２を設け、さらに、ガイドブロック４２２をベース部１のガイド溝１１１に収めて、弾性具４１の両側がプッシャー４２の押し当て部４２１と、ベース部１の収容溝１１の底面に押し当てる。
【００１４】
前述した構造により、ケース体３を開いて使用するとき、引き手組２の固定バー２１と、ケース体３の背部３２と接続しているため、ケース体３の折りたたみ部３３がラグ３４を介して、引き手組２のフック２３のフック部２３２に接続しており、ケース体３の背部３２と、折りたたみ部３３に安定した支えが得られ、利用者が便利に使用できることから、ケース体３をあらたに補強する必要はない。
【００１５】
図６ないし図１１を参照する。図６と、図７に示すように、利用者がケース体３を折り畳みケース体３の容積を小さくして収納するときは、まず、フック２３を固定柱２２１から引き離せて、フック２３を移動させた後、フック部２３２と、ラグ３４とを引き離せて、ケース体３の折りたたみ部３３を屈折して背部３２の方向に近づけることができる。引き続き、図８ないし図１１を参照する。折りたたみ部３３が背部３２の方向に屈折して近づけた後、利用者が固定バー２１を回して、ベース部１の方向に枢転すると、第１押し当て面２１１がプッシャー４２を押し込んで収容溝１１の底面に移動される。さらに、ガイド面２１３を設けているため、固定バー２１の枢転がよりスムーズにでき、固定バー２１を枢転して第２押し当て面２１２に近づけたとき、プッシャー４２が弾性具４１から上方向に押し込む力量によって、固定バー２１を押し込んで自動に枢転し、プッシャー４２の押し当て部４２１が第２押し当て面２１２に押し当てたとき、固定を形成して、ケース体３の折りたたみを完成する。さらに、プッシャー４２によって、固定バー２１によって固定を形成するので、ケース体３を新たに他の手段で固定することなく、ベース部１と、固定バー２１との間に固定される。これに対して、ケース体３を開いて使用するときには、同じく固定バー２１を回して、ベース部１から引き離す方向に枢転させ、固定バー２１を第１押し当て面２１１が枢転し、第２押し当て面２１２に近づけると、プッシャー４２が弾性具４１による上方向への押し込み力量を受けて、固定バー２１を押し込んで自動に枢転し、プッシャー４２の押し当て部４２１が第１押し当て面２１１に押し当てて固定を形成し、利用者は引き続きにラグ３４と、フック２３のフック部２３２とを接続すれば良い。
【符号の説明】
【００１６】
１      ベース部
１１    収容溝
１１１  ガイド溝
１２    枢接部
１３    枢軸
１４    ローラー
２      引き手組
２１    固定バー
２１１  第１押し当て面
２１２  第２押し当て面
２１３  ガイド面
２２    伸長ロッド
２２１  固定柱
２３    フック
２３１  嵌め継ぎ部
２３２  フック部
２３３  固定穴
２４    ハンドルロッド
３      ケース体
３１    ベース部
３２    背部
３３    折りたたみ部
３４    ラグ
３５    側壁部
３６    前蓋部
３７    ファスナー
４      プッシャー装置
４１    弾性具
４２    プッシャー
４２１  押し当て部
４２２  ガイドブロック
【図１】
0003222219.tif 000003
【図２】
0003222219.tif 000004
【図３】
0003222219.tif 000005
【図４】
0003222219.tif 000006
【図５】
0003222219.tif 000007
【図６】
0003222219.tif 000008
【図７】
0003222219.tif 000009
【図８】
0003222219.tif 000010
【図９】
0003222219.tif 000011
【図１０】
0003222219.tif 000012
【図１１】
0003222219.tif 000013